(57)【要約】【課題】端子部間における各端子部と樹脂層との剥離の発生を抑制することができるリードフレーム、樹脂付きリードフレーム、リードフレームの多面付け体、樹脂付きリードフレームの多面付け体、光半導体装置、光半導体装置の多面付け体を提供する。【解決手段】リードフレーム１０は、表面及び裏面に端子面を設けた複数の端子部１１、１２を有し、端子部１１、１２のうち少なくとも一つに光半導体素子２が接続される光半導体装置１に用いられるリードフレーム１０において、各端子部１１、１２は、その裏面の互いに対向する辺の外周に、その外部端子面１１ｂ、１２ｂの外周縁から落ち込むように形成された段部Ｄを有し、段部Ｄは、その落ち込んだ領域から突出する凸部Ｔを有することを特徴とする。【選択図】図２
2015038917.tif 000002
【特許請求の範囲】
【請求項１】
表面及び裏面に端子面を設けた複数の端子部を有し、前記端子部のうち少なくとも一つに光半導体素子が接続される光半導体装置に用いられるリードフレームにおいて、
前記端子部のうち少なくとも一の端子部は、その表面及び裏面の少なくとも一方の面であり他の端子部に対向する辺の外周に、その端子面の外周縁から落ち込むように形成された段部を有し、
前記段部は、その落ち込んだ領域から突出する凸部を有すること、
を特徴とするリードフレーム。
【請求項２】
請求項１に記載のリードフレームにおいて、
前記凸部は、その頂部が、前記端子面よりも低く形成されること、
を特徴とするリードフレーム。
【請求項３】
請求項１又は請求項２に記載のリードフレームにおいて、
前記凸部は、前記端子部間の互いに対向する辺に沿って複数個形成されていること、
を特徴とするリードフレーム。
【請求項４】
請求項１から請求項３までのいずれか１項に記載のリードフレームと、
前記リードフレームの前記端子部の外周側面及び前記端子部間に形成されるフレーム樹脂部を有する樹脂層と、
を備える樹脂付きリードフレーム。
【請求項５】
請求項４に記載の樹脂付きリードフレームにおいて、
前記樹脂層は、前記リードフレームの前記光半導体素子が接続される側の面に突出して形成されるリフレクタ樹脂部を有すること、
を特徴とする樹脂付きリードフレーム。
【請求項６】
請求項１から請求項３までのいずれか１項に記載のリードフレームが枠体に多面付けされていること、
を特徴とするリードフレームの多面付け体。
【請求項７】
請求項４又は請求項５に記載の樹脂付きリードフレームが多面付けされていること、
を特徴とする樹脂付きリードフレームの多面付け体。
【請求項８】
請求項４又は請求項５に記載の樹脂付きリードフレームと、
前記樹脂付きリードフレームの前記端子部のうち少なくとも一つに接続される光半導体素子と、
前記樹脂付きリードフレームの前記光半導体素子が接続される側の面に形成され、前記光半導体素子を覆う透明樹脂層と、
を備える光半導体装置。
【請求項９】
請求項８に記載の光半導体装置が多面付けされていること、
を特徴とする光半導体装置の多面付け体。
【発明の詳細な説明】
【技術分野】
【０００１】
本発明は、光半導体素子を実装する光半導体装置用のリードフレーム、樹脂付きリードフレーム、リードフレームの多面付け体、樹脂付きリードフレームの多面付け体、光半導体装置、光半導体装置の多面付け体に関するものである。
【背景技術】
【０００２】
従来、ＬＥＤ素子等の光半導体素子は、電気的に絶縁され樹脂層で覆われた２つの端子部を有するリードフレームに固定され、その周囲を透明樹脂層によって覆い、光半導体装置として照明装置等の基板に実装されていた（例えば、特許文献１）。
しかし、このような光半導体装置は、ＬＥＤ素子の発光や、実装した基板の熱等によって、樹脂層及びリードフレームがそれぞれ伸びてしまう場合がある。ここで、リードフレームの端子部は、銅等の導電材料から形成され、樹脂層は、熱可塑性樹脂等から形成されているので、両者の線膨張係数の差によって、樹脂層がリードフレームの端子部から剥離してしまうことがある。
【０００３】
また、このような光半導体装置の中には、端子部を覆う樹脂層が、光半導体素子を囲むようにして、光半導体素子の搭載面から突出するようにリフレクタが形成され、光半導体素子から発光する光の方向等を制御するものがある。このような光半導体装置は、リードフレームのリフレクタが形成される側の面が、その面とは反対側の面に比べ樹脂が多く形成されるため、温度変化が生じた場合において、金属及び樹脂の線膨張率の差によって反りが生じてしまい、上述の剥離現象の発生をより顕著にする場合がある。
特に、リードフレームの端子部間は、リードフレームの厚み部分のみで樹脂部と端子部とが接合しており、他の部分に比べ両者の接合面積が狭く接合強度が弱いため、上述の剥離が発生しやすくなる。この端子部間の剥離は、光半導体装置の製造時の透明樹脂を形成する工程で透明樹脂が裏面に漏れ出るほか、光半導体装置がその端子部間で破損したり、剥離した部分から半田に含まれるフラックスや、水分等が浸入し、端子部や樹脂層等を変色させてしまい光半導体装置の光反射特性を劣化させたりする要因になる場合があった。
【先行技術文献】
【特許文献】
【０００４】
【特許文献１】特開２０１１−１５１０６９号公報
【発明の概要】
【発明が解決しようとする課題】
【０００５】
本発明の課題は、端子部間における各端子部と樹脂層との剥離の発生を抑制することができるリードフレーム、樹脂付きリードフレーム、リードフレームの多面付け体、樹脂付きリードフレームの多面付け体、光半導体装置、光半導体装置の多面付け体を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、表面及び裏面に端子面（１１ａ、１１ｂ、１２ａ、１２ｂ）を設けた複数の端子部（１１、１２）を有し、前記端子部のうち少なくとも一つに光半導体素子（２）が接続される光半導体装置（１）に用いられるリードフレーム（１０）において、前記端子部のうち少なくとも一の端子部は、その表面及び裏面の少なくとも一方の面であり他の端子部に対向する辺の外周に、その端子面の外周縁から落ち込むように形成された段部（Ｄ）を有し、前記段部は、その落ち込んだ領域から突出する凸部（Ｔ）を有すること、を特徴とするリードフレームである。
第２の発明は、第１の発明のリードフレーム（１０）において、前記凸部（Ｔ）は、その頂部（Ｔ１）が、前記端子面よりも低く形成されること、を特徴とするリードフレームである。
第３の発明は、第１の発明又は第２の発明のリードフレーム（１０）において、前記凸部（Ｔ）は、前記端子部間の互いに対向する辺に沿って複数個形成されていること、を特徴とするリードフレームである。
【０００８】
第４の発明は、第１の発明から第３の発明までのいずれかのリードフレーム（１０）と、前記リードフレームの前記端子部（１１、１２）の外周側面及び前記端子部間に形成されるフレーム樹脂部（２０ａ）を有する樹脂層（２０）と、を備える樹脂付きリードフレームである。
第５の発明は、第４の発明の樹脂付きリードフレームにおいて、前記樹脂層（２０）は、前記リードフレーム（１０）の前記光半導体素子（２）が接続される側の面に突出して形成されるリフレクタ樹脂部（２０ｂ）を有すること、を特徴とする樹脂付きリードフレームである。
【０００９】
第６の発明は、第１の発明から第３の発明までのいずれかのリードフレーム（１０）が枠体（Ｆ）に多面付けされていること、を特徴とするリードフレームの多面付け体（ＭＳ）である。
【００１０】
第７の発明は、第４の発明又は第５の発明の樹脂付きリードフレームが多面付けされていること、を特徴とする樹脂付きリードフレームの多面付け体（Ｒ）である。
【００１１】
第８の発明は、第４の発明又は第５の発明の樹脂付きリードフレームと、前記樹脂付きリードフレームの前記端子部（１１、１２）のうち少なくとも一つに接続される光半導体素子（２）と、前記樹脂付きリードフレームの前記光半導体素子が接続される側の面に形成され、前記光半導体素子を覆う透明樹脂層（３０）と、を備える光半導体装置（１）である。
【００１２】
第９の発明は、第８の発明の光半導体装置（１）が多面付けされていること、を特徴とする光半導体装置の多面付け体である。
【発明の効果】
【００１３】
本発明によれば、リードフレーム、樹脂付きリードフレーム、リードフレームの多面付け体、樹脂付きリードフレームの多面付け体、光半導体装置、光半導体装置の多面付け体は、端子部間の剥離の発生を抑制することができる。
【図面の簡単な説明】
【００１４】
【図１】第１実施形態の光半導体装置１の全体構成を示す図である。
【図２】第１実施形態のリードフレームの多面付け体ＭＳの詳細を説明する図である。
【図３】第１実施形態の樹脂付きリードフレームの多面付け体Ｒの詳細を説明する図である。
【図４】第１実施形態のリードフレーム及び樹脂付きリードフレームの端子部間の詳細を説明する図である。
【図５】第１実施形態の光半導体装置１の他の形態を説明する図である。
【図６】第１実施形態のリードフレーム１０の製造過程を説明する図である。
【図７】凸部Ｔを形成する場合のエッチング加工の詳細を説明する図である。
【図８】第１実施形態の光半導体装置１の多面付け体を示す図である。
【図９】第１実施形態の光半導体装置１の製造過程を説明する図である。
【図１０】トランスファ成形の概略を説明する図である。
【図１１】インジェクション成形の概略を説明する図である。
【図１２】第２実施形態のリードフレームの多面付け体ＭＳの詳細を説明する図である。
【図１３】第３実施形態のリードフレーム及び樹脂付きリードフレームの端子部間の詳細を説明する図である。
【図１４】第４実施形態のリードフレーム及び樹脂付きリードフレームの端子部間の詳細を説明する図である。
【図１５】第５実施形態のリードフレーム及び樹脂付きリードフレームの端子部間の詳細を説明する図である。
【発明を実施するための形態】
【００１５】
（第１実施形態）
以下、図面等を参照して、本発明の第１実施形態について説明する。
図１は、第１実施形態の光半導体装置１の全体構成を示す図である。
図１（ａ）、図１（ｂ）、図１（ｃ）は、それぞれ光半導体装置１の平面図、側面図、裏面図を示す。図１（ｄ）は、図１（ａ）のｄ−ｄ断面図を示す。
図２は、第１実施形態のリードフレームの多面付け体ＭＳの詳細を説明する図である。
図２（ａ）、図２（ｂ）は、それぞれリードフレームの多面付け体ＭＳの平面図、裏面図を示し、図２（ｃ）、図２（ｄ）は、それぞれ図２（ａ）のｃ−ｃ断面図、ｄ−ｄ断面図を示す。
図３は、第１実施形態の光反射樹脂層２０が形成された樹脂付きリードフレームの多面付け体Ｒの詳細を説明する図である。
図３（ａ）、図３（ｂ）は、それぞれ、樹脂付きリードフレームの多面付け体Ｒの平面図、裏面図を示し、図３（ｃ）、図３（ｄ）は、それぞれ図３（ａ）のｃ−ｃ断面図と、ｄ−ｄ断面図を示す。
図４は、第１実施形態のリードフレーム及び樹脂付きリードフレームの端子部間の詳細を説明する図である。図４（ａ）は、図２（ｃ）のＡ部詳細図であり、リードフレーム１０の端子部間の詳細を示す。図４（ｂ）は、図３（ｃ）のＢ部詳細図であり、樹脂付きリードフレームの端子部間の詳細を示す。
各図において、光半導体装置１の平面図における左右方向をＸ方向、上下方向をＹ方向、厚み方向をＺ方向とする。
【００１６】
光半導体装置１は、外部機器等の基板に取り付けられることによって、実装したＬＥＤ素子２が発光する照明装置である。光半導体装置１は、図１に示すように、ＬＥＤ素子２（光半導体素子）、リードフレーム１０、光反射樹脂層２０（樹脂層）、透明樹脂層３０を備える。
光半導体装置１は、多面付けされたリードフレーム１０（リードフレームの多面付け体ＭＳ、図２参照）に光反射樹脂層２０を形成して樹脂付きリードフレームの多面付け体Ｒ（図３参照）を作製し、ＬＥＤ素子２を電気的に接続し、透明樹脂層３０を形成して、パッケージ単位に切断（ダイシング）することによって製造される（詳細は後述する）。
ＬＥＤ素子２は、発光層として一般に用いられるＬＥＤ（発光ダイオード）の素子であり、例えば、ＧａＰ、ＧａＡｓ、ＧａＡｌＡｓ、ＧａＡｓＰ、ＡｌＩｎＧａＰ等の化合物半導体単結晶、又は、ＩｎＧａＮ等の各種ＧａＮ系化合物半導体単結晶からなる材料を適宜選ぶことにより、紫外光から赤外光に渡る発光波長を選択することができる。
【００１７】
リードフレーム１０は、一対の端子部、すなわち、ＬＥＤ素子２が載置、接続される端子部１１と、ボンディングワイヤ２ａを介してＬＥＤ素子２に接続される端子部１２とから構成される。
端子部１１、１２は、それぞれ導電性のある材料、例えば、銅、銅合金、４２合金（Ｎｉ４０．５％〜４３％のＦｅ合金）等により形成されており、本実施形態では、熱伝導及び強度の観点から銅合金から形成されている。
端子部１１、１２は、図２に示すように、互いに対向する辺の間に空隙部Ｓが形成されており、電気的に独立している。端子部１１、１２は、１枚の金属基板（銅板）をプレス又はエッチング加工することにより形成されるため、両者の厚みは同等である。
【００１８】
端子部１１は、図１に示すように、その表面にＬＥＤ素子２が載置、接続されるＬＥＤ端子面１１ａが形成され、また、その裏面に外部機器に実装される外部端子面１１ｂが形成される、いわゆるダイパッドを構成する。端子部１１は、ＬＥＤ素子２が載置されるため、端子部１２に比べ、その外形が大きく形成されている。
端子部１２は、その表面にＬＥＤ素子２のボンディングワイヤ２ａが接続されるＬＥＤ端子面１２ａが形成され、また、その裏面に外部機器に実装される外部端子面１２ｂが形成される、いわゆるリード側端子部を構成する。
端子部１１、１２は、その表面及び裏面にめっき層Ｃが形成されており（図６（ｅ）参照）、表面側のめっき層Ｃは、ＬＥＤ素子２の発する光を反射する反射層としての機能を有し、裏面側のめっき層Ｃは、外部機器に実装されるときの半田の溶着性を高める機能を有する。
【００１９】
端子部１１、１２は、図２に示すように、それぞれの裏面側の外周部に、厚みの薄くなる段部Ｄが設けられている。
段部Ｄは、リードフレーム１０の裏面側から見て、各端子部１１、１２の外部端子面１１ｂ、１２ｂから落ち込んでいる。換言すれば、端子部１１、１２の厚みと比較して１／３〜２／３程度に形成されている。
各端子部１１、１２が互いに対向する辺に形成される段部Ｄは、他の部位に比べ、その幅が広く形成されており、その落ち込んだ領域から突出する凸部Ｔが形成されている。ここで、落ち込んだ領域とは、段部Ｄを形成する領域のうち、各端子部の外部端子面１１ｂ、１２ｂの端部を除いた外部端子面１１ｂ、１２ｂよりも低く落ち込むようにして形成された領域をいう。
凸部Ｔは、図２（ｂ）に示すように、各端子部が互いに対向する辺に沿うようにして形成されており、その長さが、外部端子面の上下方向（Ｙ方向）の幅寸法と同等に形成されている。
【００２０】
リードフレーム１０は、端子部１１、１２の周囲や、端子部１１、１２間の空隙部Ｓ等に光反射樹脂層２０を形成する樹脂が充填される場合に、図３に示すように、段部Ｄにも樹脂が充填され、光反射樹脂層２０と各端子部１１、１２との接触面積を大きくしている。また、厚み（Ｚ）方向において、リードフレーム１０と光反射樹脂層２０とを交互に構成することができる。これにより、段部Ｄは、厚み方向において、光反射樹脂層２０がリードフレーム１０から剥離してしまうのを抑制することができる。
また、段部Ｄは、その落ち込んだ領域に凸部Ｔが形成されているので、樹脂が凸部Ｔの周囲にまで充填されるので、端子部１１、１２の配列方向（Ｘ方向）において、端子部１１、１２間の光反射樹脂層２０が各端子部１１、１２から剥離してしまうのを抑制することができる。
【００２１】
凸部Ｔは、図４（ａ）に示すように、各端子部の裏面側から見て、その頂部Ｔ１が、各端子部１１、１２の裏面側に形成される外部端子面１１ｂ、１２ｂよりも低くなるように形成されている。そのため、リードフレーム１０は、光反射樹脂層２０が形成された場合に、図４（ｂ）に示すように、樹脂付きリードフレームの裏面から凸部Ｔの頂部Ｔ１が表出してしまうのを防ぐことができ、樹脂付きリードフレームの裏面の外観を良好に保つことができる。
【００２２】
また、リードフレーム１０は、上述したように端子部１１が端子部１２よりも大きく形成されおり、また、段部Ｄが各端子部の裏面に設けられているので、端子部１１のＬＥＤ端子面１１ａがリードフレーム１０の外形（図２の破線）の中央に位置することとなる。そのため、リードフレーム１０は、ＬＥＤ素子２をリードフレーム１０の外形のほぼ中央に配置して接続することができる。これにより、製造された光半導体装置１は、ＬＥＤ素子２から発光した光の透明樹脂層３０を透過する経路の長さを略均等にすることができ、光半導体装置１から出射する光の色ムラの発生を抑制することができる。
【００２３】
連結部１３は、枠体Ｆ内に多面付けされた各リードフレーム１０の端子部１１、１２を、隣接する他のリードフレーム１０の端子部や、枠体Ｆに連結している。連結部１３は、多面付けされた各リードフレーム１０上にＬＥＤ素子２等が搭載され、光半導体装置１の多面付け体（図８参照）が形成された場合に、リードフレーム１０を形成する外形線（図３（ａ）及び図３（ｂ）中の破線）でダイシング（切断）される。
連結部１３は、端子部１１、１２を形成する各辺のうち、端子部１１、１２が対向する辺を除いた辺に形成されている。
【００２４】
具体的には、連結部１３ａは、図２（ａ）に示すように、端子部１２の右（＋Ｘ）側の辺と、右側に隣接する他のリードフレーム１０の端子部１１の左（−Ｘ）側の辺とを接続し、また、端子部１１の左側の辺と、左側に隣接する他のリードフレーム１０の端子部１２の右側の辺とを接続している。枠体Ｆに隣接する端子部１１、１２に対しては、連結部１３ａは、端子部１１の左側の辺又は端子部１２の右側の辺と、枠体Ｆとを接続している。
【００２５】
連結部１３ｂは、端子部１１の上（＋Ｙ）側の辺と、上側に隣接する他のリードフレーム１０の端子部１１の下（−Ｙ）側の辺とを接続し、また、端子部１１の下側の辺と、下側に隣接する他のリードフレーム１０の端子部１１の上側の辺とを接続する。枠体Ｆに隣接する端子部１１に対しては、連結部１３ｂは、端子部１１の上側又は下側の辺と、枠体Ｆとを接続している。
連結部１３ｃは、端子部１２の上側の辺と、上側に隣接する他のリードフレーム１０の端子部１２の下側の辺とを接続し、また、端子部１２の下側の辺と、下側に隣接する他のリードフレーム１０の端子部１２の上側の辺とを接続する。枠体Ｆに隣接する端子部１２に対しては、連結部１３ｃは、端子部１２の上側又は下側の辺と、枠体Ｆとを接続している。
【００２６】
なお、端子部１１、１２は、連結部１３によって、隣り合う他のリードフレーム１０の端子部１１、１２と電気的に導通されるが、光半導体装置１の多面付け体を形成した後に、光半導体装置１（リードフレーム１０）の外形（図２（ａ）の破線）に合わせて各連結部１３を切断（ダイシング）することによって絶縁される。また、個片化された場合に、各々の個片を同じ形状にすることができる。
【００２７】
連結部１３は、図２（ｂ）、図２（ｃ）に示すように、端子部１１、１２の厚みよりも薄く、かつ、その表面が端子部１１、１２の表面と同一平面内に形成されている。具体的には、連結部１３は、その裏面が、各端子部１１、１２の段部Ｄの落ち込んだ領域と略同一面内に形成されている。これにより、光反射樹脂層２０の樹脂が充填された場合に、図３（ｂ）、図３（ｃ）に示すように、連結部１３の裏面にも樹脂が流れ込み、光反射樹脂層２０がリードフレーム１０から剥離してしまうのを抑制することができる。
また、光反射樹脂層２０が形成されたリードフレーム１０の裏面には、図３（ｂ）に示すように、矩形状の外部端子面１１ｂ、１２ｂが表出することとなり、光半導体装置１の外観を向上させることができることに加え、半田で基板に実装する場合に、基板側への半田印刷を容易にしたり、半田を均一に塗布したり、リフロー後に半田内へのボイドの発生を抑制したりすることができる。また、光半導体装置１の面内（ＸＹ平面内）の中心線に対して線対称であることから、熱応力等に対する信頼性を向上させることができる。
リードフレームの多面付け体ＭＳは、上述のリードフレーム１０を枠体Ｆ内に多面付けしたものをいう。枠体Ｆは、多面付けされたリードフレーム１０を固定する部材である。
【００２８】
光反射樹脂層２０は、図３に示すように、フレーム樹脂部２０ａと、リフレクタ樹脂部２０ｂとから構成される。
フレーム樹脂部２０ａは、端子部１１、１２の外周側面（リードフレーム１０の外周や、空隙部Ｓ）だけでなく、各端子部に設けられた段部Ｄや、連結部１３の裏面にも形成される。
【００２９】
リフレクタ樹脂部２０ｂは、リードフレーム１０の表面側（リードフレーム１０のＬＥＤ素子２が接続される側）に突出するように形成され、リードフレーム１０に接続されるＬＥＤ素子２から発光する光の方向等を制御するリフレクタを構成する。このリフレクタ樹脂部２０ｂは、端子部１１、１２のＬＥＤ端子面１１ａ、１２ａを囲むようにして、リードフレーム１０の表面側に突出しており、ＬＥＤ端子面１１ａに接続されるＬＥＤ素子２から発光する光を反射させて、光半導体装置１から光を効率よく照射させる。
リフレクタ樹脂部２０ｂは、リードフレーム１０の多面付け体ＭＳの状態において、その外形が、枠体Ｆの内周縁に沿うようにして形成されており、フレーム樹脂部２０ａと結合している。また、リフレクタ樹脂部２０ｂは、その厚み（高さ）寸法が、ＬＥＤ端子面１１ａに接続されるＬＥＤ素子２の厚み寸法よりも大きい寸法で形成される（図１参照）。
【００３０】
ここで、リードフレーム１０は銅などの金属により形成され、光反射樹脂層２０は熱硬化性樹脂等の樹脂により形成され、また、両者の材料の線膨張率には差がある。そのため、光反射樹脂層２０が形成されたリードフレーム１０（樹脂付きリードフレーム）は、各端子部に外部機器との半田溶着による熱や、ＬＥＤ素子２の発光による熱が加わることによって、各端子部と光反射樹脂層２０との間で剥離が生じてしまう場合がある。
また、リードフレーム１０は、上述したように表面側にリフレクタ樹脂部２０ｂが形成されることから裏面側に比べ表面側に樹脂が多く形成される。そのため、樹脂付きリードフレームは、上記熱が加わったり、冷えたりすることで、上述の線膨張率の差によって反りが生じたり、その反りが戻ったりして、これが繰り返されると、上記剥離がより発生しやすくなる。
【００３１】
特に、リードフレーム１０の端子部１１、１２間は、端子部１１、１２と光反射樹脂層２０との接合面積が狭いため、接合強度が弱く、剥離の発生が顕著となる。光半導体装置１を組み立てる際に、ＬＥＤ素子２と電気的な接続部となる金属面を覆うために透明な樹脂（透明樹脂層３０）で封止を行うが、特に高耐光性を持つためにシリコーン、エポキシなどの熱硬化樹脂が用いられる。この熱硬化樹脂は、一般的に加熱硬化前はモノマーもしくはプレポリマーであり、液状もしくは非常に流動性の高い粘性体である。そのため、樹脂付きのリードフレームの状態で、光反射樹脂層２０とリードフレーム１０の端子部間においてこの剥離が発生した場合、ＬＥＤ素子２の搭載側の端子部間から外部端子面側へ透明樹脂が漏れ出て外部端子面１１ｂ、１２ｂを覆い、製造された光半導体装置１が使用不可能な状態になる場合がある。
また、製造した光半導体装置１の端子部間においてこの剥離が発生した場合、端子部間で光半導体装置１が折れて破損する可能性がある。更に、光半導体装置１の雰囲気中の水分や、外部端子面に溶着する半田のフラックス等が、剥離した隙間に浸入してしまい、各端子部の表面のめっき層や、光反射樹脂層２０、透明樹脂層３０等を変色させてしまう可能性がある。
【００３２】
上記剥離の一因となる反りを抑制するために、光反射樹脂層２０の樹脂中に特定のフィラー（粉末）を含有させて線膨張率を、リードフレーム１０の金属に近づけることも可能である。しかし、光反射樹脂層２０の光反射特性を維持するために、フィラーの含有量は制限されてしまい、樹脂の線膨張率を十分に金属に近づけられない場合がある。また、樹脂に熱可塑性樹脂を使用した場合は、熱可塑性を維持するために三次元架橋密度を上げられないという分子構造上、フィラーを多量に充填した場合に強度が保てないことから、実用レベルとしては線膨張率の調整自体をすることが困難となる。
【００３３】
そのため、本実施形態では、リードフレーム１０は、各端子部１１、１２に段部Ｄを設け、厚み方向において、光反射樹脂層２０がリードフレーム１０から剥離してしまうのを抑制することができる。また、特に各端子部間に対しては、段部Ｄに凸部Ｔを設けることによって、段部Ｄ内の凸部Ｔの周囲に形成された樹脂が、各端子部間の空隙部Ｓに形成された光反射樹脂層２０を各端子部に対して強固に結合し、上記剥離の発生を抑制する。
また、リードフレーム１０は、その表面側にリフレクタ樹脂部２０ｂが形成され、各端子部の裏面側に設けられた段部Ｄにフレーム樹脂部２０ａが形成されるので、リードフレーム１０を表裏面から光反射樹脂層２０で挟み込ませることができる。これにより、リードフレーム１０は、樹脂が充填された場合に、厚み方向に対して光反射樹脂層２０が抜け落ちてしまうのを防ぐことができる。
【００３４】
光反射樹脂層２０は、リードフレーム１０に載置されるＬＥＤ素子２の発する光を反射させるために、光反射特性を有する熱可塑性樹脂や、熱硬化性樹脂が用いられる。
光反射樹脂層２０を形成する樹脂は、段部Ｄへの樹脂充填に関しては、樹脂形成時には流動性が高いことが、段部Ｄでの接着性に関しては、分子内に反応基を導入しやすいためにリードフレームとの化学接着性を得られることが必要なため、熱硬化性樹脂が望ましい。
例えば、熱可塑性樹脂としては、ポリアミド、ポリフタルアミド、ポリフェニレンサルファイド、液晶ポリマー、ポリエーテルサルホン、ポリブチレンテレフタレート、ポリオレフィン等を用いることができる。
また、熱硬化性樹脂としては、シリコーン、エポキシ、ポリエーテルイミド、ポリウレタン及びポリブチレンアクリレート等を用いることができる。
さらに、これらの樹脂中に光反射材として、二酸化チタン、二酸化ジルコニウム、チタン酸カリウム、窒化アルミニウム及び窒化ホウ素のうちいずれかを添加することによって、光の反射率を増大させることができる。
また、ポリオレフィンなどの熱可塑性樹脂を成形した後に、電子線を照射することで架橋させる方法を用いた、いわゆる電子線硬化樹脂を用いてもよい。
以上より、リードフレームの多面付け体ＭＳに多面付けされるリードフレーム１０に光反射樹脂層２０を形成する樹脂が充填されることによって、樹脂付きリードフレームの多面付け体Ｒが形成される。
【００３５】
透明樹脂層３０は、リードフレーム１０上に載置されたＬＥＤ素子２を保護するとともに、発光したＬＥＤ素子２の光を外部に透過させるために設けられた透明又は略透明に形成された樹脂層である。透明樹脂層３０は、図１に示すように、光反射樹脂層２０のリフレクタ樹脂部２０ｂによって囲まれたＬＥＤ端子面１１ａ、１２ａ上に形成される。
透明樹脂層３０は、光の取り出し効率を向上させるために、ＬＥＤ素子２の発光波長において光透過率が高く、また、屈折率が高い材料を選択するのが望ましい。例えば、耐熱性、耐光性、及び機械的強度が高いという特性を満たす樹脂として、エポキシ樹脂や、シリコーン樹脂を選択することができる。特に、ＬＥＤ素子２に高輝度ＬＥＤ素子を用いる場合、透明樹脂層３０は、強い光にさらされるため、高い耐光性を有するシリコーン樹脂からなることが好ましい。また、波長変換用の蛍光体を使用してもよく、透明樹脂に分散させてもよい。
【００３６】
次に、本実施形態の光半導体装置、リードフレームの他の形態について説明する。
図５は、第１実施形態の光半導体装置１の他の形態を説明する図である。
図５（ａ）、図５（ｂ）、図５（ｃ）は、それぞれ光半導体装置１の平面図、側面図、裏面図を示す。
上述の説明では、段部Ｄ及び凸部Ｔを設けたリードフレーム１０の表面にリフレクタ樹脂部２０ｂが形成される、いわゆるカップ型の光半導体装置１の例で説明したが、図５に示すように、リードフレーム１０と光反射樹脂層２０との厚みがほぼ同等となる、いわゆるフラット型の光半導体装置１に適用してもよい。
【００３７】
次に、リードフレーム１０の製造方法について説明する。
図６は、第１実施形態のリードフレーム１０の製造過程を説明する図である。
図６（ａ）は、レジストパターンを形成した金属基板１００を示す平面図と、その平面図のａ−ａ断面図とを示す。図６（ｂ）は、エッチング加工されている金属基板１００を示す図である。図６（ｃ）は、エッチング加工後の金属基板１００を示す図である。図６（ｄ）は、レジストパターンが除去された金属基板１００を示す図である。図６（ｅ）は、めっき処理が施された金属基板１００を示す図である。
図７は、凸部Ｔを形成する場合のエッチング加工の詳細を説明する図である。図７（ａ）は、金属基板の裏面よりも低くなる凸部Ｔが形成される場合を説明する図であり、図７（ｂ）は、金属基板の裏面とほぼ同等の高さの凸部が形成される場合を説明する図である。
なお、図６においては、１枚のリードフレーム１０の製造過程について図示するが、実際には、１枚の金属基板１００からリードフレームの多面付け体ＭＳが製造される。
【００３８】
リードフレーム１０の製造において、金属基板１００を加工してリードフレーム１０を形成するが、その加工は、プレス加工でも良いが、薄肉部を形成しやすいエッチング処理が望ましい。以下にエッチング処理によるリードフレーム１０の製造方法について説明する。
【００３９】
まず、平板状の金属基板１００を用意し、図６（ａ）に示すように、その表面及び裏面のエッチング加工を施さない部分にレジストパターン４０ａ、４０ｂを形成する。なお、レジストパターン４０ａ、４０ｂの材料及び形成方法は、エッチング用レジストとして従来公知の技術を用いることができるが、アクリル系、カゼイン、ゼラチンなどのタンパク質系、ポリビニルアルコール（ＰＶＡ）系などが酸性のエッチング液耐性が高く、望ましい。
次に、図６（ｂ）に示すように、レジストパターン４０ａ、４０ｂ、４０ｃを耐エッチング膜として、金属基板１００に腐食液でエッチング処理を施す。腐食液は、使用する金属基板１００の材質に応じて適宜選択することができる。本実施形態では、金属基板１００として銅板を使用しているため、塩化第二鉄水溶液を使用し、金属基板１００の両面からスプレーエッチングすることができる。
【００４０】
ここで、リードフレーム１０には、端子部１１、１２の外周部や、各端子部１１、１２間の空隙部Ｓのように貫通した空間と、段部Ｄや、連結部１３の裏面のように貫通せずに厚みが薄くなった窪んだ空間とが存在する（図２参照）。本実施形態では、金属基板１００の板厚の半分程度までをエッチング加工する、いわゆるハーフエッチング処理を行い、貫通した空間に対しては、金属基板１００の両面にレジストパターンを形成しないようにし、金属基板１００の両面からエッチング加工して、貫通した空間を形成する。また、窪んだ空間に対しては、厚みが薄くなる側とは反対側の面にのみレジストパターンを形成して、レジストパターンがない面のみをエッチング加工して、窪んだ空間を形成する。
段部Ｄに形成される凸部Ｔは、段部Ｄを形成するときに腐食液の噴射量を調整することによって形成される。具体的には、凸部Ｔに対応する部分に、レジストパターン４０ｃを残すことにより、腐食液の噴射が届かず、凸部Ｔが形成される。エッチングが拡散律速になるように、例えば銅、銅合金、鉄、鉄合金の塩化第二鉄水溶液、塩化第二銅水溶液でエッチングを行う。このとき、凸部Ｔに対応する部分のレジストパターン４０ｃの幅を、エッチングされる深さのおよそ２倍程度とし、ほぼ等方性のエッチングとなるように腐食液の噴射を弱く行うと、図７（ａ）に示すように、凸部Ｔは、金属基板１００の裏面よりも低くなるように形成される。
なお、異方性のエッチングとなるように腐食液の噴射を強く行うと、図７（ｂ）に示すように、金属基板の厚みのまま凸部を残すことも可能である。
エッチング処理により金属基板１００には、図６（ｃ）に示すように、段部Ｄや凸部Ｔが形成された端子部１１、１２が形成され、金属基板１００上にリードフレーム１０が形成される。
【００４１】
次に、図６（ｄ）に示すように、金属基板１００（リードフレーム１０）からレジストパターン４０を除去する。
そして、図６（ｅ）に示すように、リードフレーム１０が形成された金属基板１００にめっき処理を行い、端子部１１、１２にめっき層Ｃを形成する。めっき処理は、例えば、シアン化銀を主成分とした銀めっき液を用いた電界めっきを施すことにより行われる。
なお、めっき層Ｃを形成する前に、例えば、電解脱脂工程、酸洗工程、銅ストライク工程を適宜選択し、その後、電解めっき工程を経てめっき層Ｃを形成してもよい。
以上により、リードフレーム１０は、図２に示すように、枠体Ｆに多面付けされた状態で製造される。なお、図２において、めっき層Ｃは省略されている。
【００４２】
次に、光半導体装置１の製造方法について説明する。
図８は、第１実施形態の光半導体装置の多面付け体を示す図である。
図９は、第１実施形態の光半導体装置１の製造過程を説明する図である。
図９（ａ）は、光反射樹脂層２０が形成されたリードフレーム１０の断面図であり、図９（ｂ）は、ＬＥＤ素子２が電気的に接続されたリードフレーム１０の断面図を示す。図９（ｃ）は、透明樹脂層３０が形成されたリードフレーム１０の断面図を示す。図９（ｄ）は、ダイシングにより個片化された光半導体装置１の断面図を示す。
なお、図９においては、１台の光半導体装置１の製造過程について図示するが、実際には、１枚の金属基板１００から複数の光半導体装置１が製造されるものとする。また、図９（ａ）〜（ｄ）は、それぞれ図６（ａ）の断面図に基づくものである。
【００４３】
図９（ａ）に示すように、金属基板１００上にエッチング加工により形成されたリードフレーム１０の外周等に上述の光反射特性を有する樹脂を充填し、光反射樹脂層２０を形成する。光反射樹脂層２０は、例えば、トランスファ成形や、インジェクション成形（射出成形）のように、樹脂成形金型にリードフレーム１０（金属基板１００）をインサートし、樹脂を注入する方法や、リードフレーム１０上に樹脂をスクリーン印刷する方法等によって形成される。このとき、樹脂は、各端子部１１、１２の外周側から段部Ｄや、連結部１３の裏面へと流れ込み、フレーム樹脂部２０ａが形成され、リードフレーム１０と接合する。
また、これと同時に、リフレクタ樹脂部２０ｂが、リードフレームの表面側に突出して、各端子部１１、１２のＬＥＤ端子面１１ａ、１２ａを囲むようにして形成される。これにより、樹脂付きリードフレームの多面付け体Ｒは、その表面及び裏面に、それぞれ、各端子部１１、１２のＬＥＤ端子面１１ａ、１２ａと、外部端子面１１ｂ、１２ｂとが表出した状態となる（図３（ａ）、図３（ｂ）参照）。
以上により、図３に示す樹脂付きのリードフレームの多面付け体Ｒが形成される。
【００４４】
次に、図９（ｂ）に示すように、端子部１１のＬＥＤ端子面１１ａに、ダイアタッチペーストや半田等の放熱性接着剤を介してＬＥＤ素子２を載置し、また、端子部１２のＬＥＤ端子面１２ａに、ボンディングワイヤ２ａを介してＬＥＤ素子２を電気的に接続する。ここで、ＬＥＤ素子２とボンディングワイヤ２ａは複数あってもよく、一つのＬＥＤ素子２に複数のボンディングワイヤ２ａが接続されてもよく、ボンディングワイヤ２ａをダイパッドに接続させてもよい。また、ＬＥＤ素子２を載置面で電気的に接続してもよい。ここで、ボンディングワイヤ２ａは、例えば、金（Ａｕ）、銅（Ｃｕ）、銀（Ａｇ）等の導電性の良い材料からなる。
【００４５】
そして、図９（ｃ）に示すように、リフレクタ樹脂部２０ｂに囲まれたＬＥＤ素子２を覆うようにして透明樹脂層３０を形成する。
透明樹脂層３０は平坦な形状のほかレンズ形状、屈折率勾配等、光学的な機能を持たせてもよい。以上により、図８に示すように、光半導体装置の多面付け体が製造される。
最後に、図９（ｄ）に示すように、光半導体装置１の外形（図８の破線部参照）に合わせて、光反射樹脂層２０及び透明樹脂層３０とともに、リードフレーム１０の連結部１３を切断（ダイシング、パンチング、カッティング等）して、１パッケージに分離（個片化）された光半導体装置１（図１参照）を得る。
【００４６】
次に、上述の図９（ａ）におけるリードフレーム１０に光反射樹脂層２０を形成するトランスファ成形及びインジェクション成形について説明する。
図１０は、トランスファ成形の概略を説明する図である。図１０（ａ）は、金型の構成を説明する図であり、図１０（ｂ）〜図１０（ｉ）は、樹脂付きリードフレームの多面付け体Ｒが完成するまでの工程を説明する図である。
図１１は、インジェクション成形の概略を説明する図である。図１１（ａ）〜図１１（ｃ）は、樹脂付きリードフレームの多面付け体Ｒが完成するまでの工程を説明する図である。
なお、図１０及び図１１において、説明を明確にするために、リードフレーム１０の単体に対して光反射樹脂層２０が成形される図を示すが、実際には、リードフレームの多面付け体ＭＳに対して光反射樹脂層２０が形成される。
【００４７】
（トランスファ成形）
トランスファ成形は、図１０（ａ）に示すように、上型１１１及び下型１１２等から構成される金型１１０を使用する。
まず、作業者は、上型１１１及び下型１１２を加熱した後、図１０（ｂ）に示すように、上型１１１と下型１１２との間にリードフレームの多面付け体ＭＳを配置するとともに、下型１１２の設けられたポット部１１２ａに光反射樹脂層２０を形成する樹脂を充填する。
そして、図１０（ｃ）に示すように、上型１１１及び下型１１２を閉じて（型締め）、樹脂を加熱する。樹脂が十分に加熱されたら、図１０（ｄ）及び図１０（ｅ）に示すように、プランジャー１１３によって樹脂に圧力をかけて、樹脂を金型１１０内へと充填（トランスファ）させ、所定の時間その圧力を一定に保持する。
【００４８】
所定の時間の経過後、図１０（ｆ）及び図１０（ｇ）に示すように、上型１１１及び下型１１２を開き、上型１１１に設けられたイジェクターピン１１１ａにより、上型１１１から光反射樹脂層２０が成形されたリードフレームの多面付け体ＭＳを取り外す。その後、図１０（ｈ）に示すように、上型１１１の流路（ランナー）部等の余分な樹脂部分を、製品となる部分から除去し、図１０（ｉ）に示すように、光反射樹脂層２０が形成された樹脂付きリードフレームの多面付け体Ｒが完成する。
【００４９】
（インジェクション成形）
インジェクション成形は、図１１（ａ）に示すように、上から順に、ノズルプレート１２１、スプループレート１２２、ランナープレート１２３（上型）、下型１２４等から構成される金型１２０を使用する。
まず、作業者は、ランナープレート１２３及び下型１２４間にリードフレームの多面付け体ＭＳを配置して、金型１２０を閉じる（型締め）。
そして、図１１（ｂ）に示すように、ノズル１２５をノズルプレート１２１のノズル穴に配置して、光反射樹脂層２０を形成する樹脂を金型１２０内に射出する。ノズル１２５から射出された樹脂は、スプループレート１２２のスプルー１２２ａを通過し、ランナープレート１２３のランナー１２３ａ及びゲートスプルー１２３ｂを通過した上で、リードフレームの多面付け体ＭＳが配置された金型１２０内へと樹脂が充填される。
【００５０】
樹脂が充填されたら所定の時間保持した後に、作業者は、図１１（ｃ）に示すように、ランナープレート１２３を下型１２４から開き、下型１２４に設けられたイジェクターピン１２４ａによって、光反射樹脂層２０が形成されたリードフレームの多面付け体ＭＳを下型１２４から取り外す。そして、光反射樹脂層２０が形成されたリードフレームの多面付け体ＭＳから余分なバリなどを除去して樹脂付きリードフレームの多面付け体Ｒが完成する。
【００５１】
電子線硬化樹脂を用いた場合には、形成された樹脂つきリードフレームの多面付け体Ｒに、リードフレームの表裏面側から低加速電圧の電子線の照射あるいは、片面から高加速電圧の電子線の照射を行うことで、樹脂の耐熱性を高めた高架橋の光反射樹脂層２０を得ることができる。
なお、本実施形態のインジェクション成形の金型１２０は、樹脂の流路が、一つのスプルーからランナーを介して複数のゲートへと分岐されているので、リードフレームの多面付け体ＭＳに対して、複数個所から均等に樹脂を射出するようにしている。これにより、リードフレームの多面付け体ＭＳの各リードフレーム１０に対して、樹脂を適正に充填させることができ、樹脂ムラのない樹脂付きリードフレームの多面付け体Ｒを得ることができる。
【００５２】
本実施形態の発明には、以下のような効果がある。
（１）リードフレーム１０は、各端子部１１、１２の裏面の互いに対向する辺の外周に段部Ｄを設け、その段部Ｄの落ち込んだ領域に凸部Ｔを形成しているので、光反射樹脂層２０を形成する樹脂が充填された場合に、段部Ｄに形成された樹脂が凸部Ｔの周囲にまで及び、端子部間に形成された樹脂と強固に結合する。また、リードフレーム１０は、段部Ｄ及び凸部Ｔを備えることによって、端子部間において光反射樹脂層２０との接触面積を大きくしているので、光反射樹脂層２０と各端子部との密着性を向上させる。
そのため、リードフレーム１０は、接合強度の弱い端子部間における光反射樹脂層２０との結合強度を向上させることができ、端子部間における光反射樹脂層２０との剥離の発生を抑制することができる。
これにより、端子部間における光半導体装置１の破損や、剥離した部分からの水分等の浸入による各部材の変色の発生を抑制することができる。また、光半導体装置１の製造時において、透明樹脂層３０を形成する透明樹脂がリードフレーム１０の裏面へ漏れ出してしまうのを防ぐことができる。
【００５３】
（２）リードフレーム１０は、凸部Ｔの頂部Ｔ１が、端子部１１、１２の外部端子面１１ｂ、１２ｂよりも低く形成されるので、光反射樹脂層２０を形成する樹脂が充填された場合に、樹脂付きリードフレームの裏面から凸部Ｔの頂部Ｔ１が表出してしまうのを防ぐことができる。これにより、樹脂付きリードフレームの裏面の外観を良好に保つことができるため、外部機器の基板への実装時にはんだが濡れない問題や、はんだブリッジなどの実装上の問題を防ぐことができる。
また、リードフレーム１０は、凸部Ｔの頂部Ｔ１が外部端子面１１ｂ、１２ｂよりも低く形成されるので、流し込まれた樹脂が凸部Ｔの頂部Ｔ１上を通過することができ、凸部Ｔの周囲への樹脂の充填効率を向上させることができる。これにより、光半導体装置の製造効率を向上させることができる。
【００５４】
（第２実施形態）
次に、本発明の第２実施形態について説明する。
図１２は、第２実施形態のリードフレームの多面付け体ＭＳの詳細を説明する図である。図１２（ａ）、図１２（ｂ）は、それぞれリードフレームの多面付け体ＭＳの平面図、裏面図を示し、図１２（ｃ）、図１２（ｄ）は、それぞれ図１２（ａ）のｃ−ｃ断面図、ｄ−ｄ断面図を示す。
なお、以下の説明及び図面において、前述した第１実施形態と同様の機能を果たす部分には、同一の符号又は末尾に同一の符号を付して、重複する説明を適宜省略する。
【００５５】
第２実施形態のリードフレーム２１０は、端子部２１１、２１２に設けられる凸部Ｔの形状が第１実施形態と相違する。
各端子部２１１、２１２が互いに対向する辺に形成される段部Ｄは、図１２に示すように、他の部位に比べ、その幅が広く形成されており、その落ち込んだ領域から突出する凸部Ｔが形成されている。
凸部Ｔは、図１２（ｂ）に示すように、各端子部が互いに対向する辺に沿うようにして、各端子部の段部Ｄに４つずつ均等に形成されている。
【００５６】
以上の構成により、本実施形態のリードフレーム２１０は、上述の第１実施形態のリードフレーム１０と同様の効果を奏することができる。
また、リードフレーム２１０は、段部Ｄに設けられた凸部Ｔが、端子部間の互いに対向する辺に沿って、各端子部に４つずつ形成されているので、樹脂が充填された場合に、凸部Ｔの周囲に、第１実施形態の場合よりも効率よく樹脂を充填させることができる。
【００５７】
（第３実施形態）
次に、本発明の第３実施形態について説明する。
図１３は、第３実施形態のリードフレーム及び樹脂付きリードフレームの端子部間の詳細を説明する図である。図１３（ａ）は、リードフレーム３１０の端子部間の詳細を示す図であり、図４（ａ）に対応する図である。図１３（ｂ）は、樹脂付きリードフレームの端子部間の詳細を示す図であり、図４（ｂ）に対応する図である。
【００５８】
第３実施形態のリードフレーム３１０は、段部Ｄ及び凸部Ｔの形成される位置が第１実施形態と相違する。
端子部３１１、３１２は、図１３（ａ）に示すように、それぞれの表面側の外周部に、厚みの薄くなる段部Ｄが設けられている。
段部Ｄは、リードフレーム３１０の表面側から見て、各端子部３１１、３１２のＬＥＤ端子面３１１ａ、３１２ａから落ち込んでいる。換言すれば、端子部３１１、３１２の厚みと比較して１／３〜２／３程度に形成されている。
各端子部３１１、３１２が互いに対向する辺に形成される段部Ｄは、他の部位に比べ、その幅が広く形成されており、その落ち込んだ領域から突出する凸部Ｔが形成されている。
凸部Ｔは、各端子部の表面側から見て、その頂部Ｔ１が、各端子部３１１、３１２の表面側に形成されるＬＥＤ端子面３１１ａ、３１２ａよりも低くなるように形成されている。
【００５９】
以上の構成により、本実施形態のリードフレーム３１０は、上述の第１実施形態のリードフレーム１０と同様の効果を奏することができる。
また、リードフレーム３１０は、各端子部の表面側に段部Ｄ及び凸部Ｔが形成されているので、図１３（ｂ）に示すように、樹脂が充填された場合に、樹脂付きリードフレームの裏面側に設けられる外部端子面３１１ｂ、３１２ｂの面積を第１実施形態の場合に比べ広くすることができる。これにより、外部機器に対する接合面積を広くすることができるので、製造された光半導体装置を外部機器に対してより確実に接合することができる。
【００６０】
（第４実施形態）
次に、本発明の第４実施形態について説明する。
図１４は、第４実施形態のリードフレーム及び樹脂付きリードフレームの端子部間の詳細を説明する図である。図１４（ａ）は、リードフレーム４１０の端子部間の詳細を示す図であり、図４（ａ）に対応する図である。図１４（ｂ）は、樹脂付きリードフレームの端子部間の詳細を示す図であり、図４（ｂ）に対応する図である。
【００６１】
第４実施形態のリードフレーム４１０は、段部Ｄ及び凸部Ｔの形成される位置が裏面だけでなく表面側にも形成されている点で第１実施形態と相違する。
端子部４１１、４１２は、それぞれの裏面側の外周部に、厚みの薄くなる段部Ｄが設けられている。また、端子部４１１、４１２は、図１４（ａ）に示すように、その表面側の互いに対向する辺の外周部にも段部Ｄが設けられている。
表面側の段部Ｄは、リードフレーム４１０の表面側から見て、各端子部４１１、４１２のＬＥＤ端子面４１１ａ、４１２ａから落ち込んでいる。換言すれば、端子部４１１、４１２の厚みと比較して１／３程度に形成されている。また、裏面側の段部Ｄは、リードフレーム４１０の裏面側から見て、各端子部の互いに対向する辺の外周から落ち込んでいる。換言すれば、端子部４１１、４１２の厚みと比較して１／３程度に形成されている。
【００６２】
各端子部４１１、４１２が互いに対向する辺に形成される各段部Ｄには、その落ち込んだ領域から突出する凸部Ｔがそれぞれ形成されている。
各端子部の表面側に形成された凸部Ｔは、表面側から見て、その頂部Ｔ１が、各端子部４１１、４１２の表面側に形成されるＬＥＤ端子面４１１ａ、４１２ａよりも低くなるように形成されている。同様に、各端子部の裏面側に形成された凸部Ｔは、裏面側から見て、その頂部Ｔ１が、各端子部４１１、４１２の裏面側に形成される外部端子面４１１ｂ、４１２ｂよりも低くなるように形成されている。
【００６３】
以上の構成により、本実施形態のリードフレーム４１０は、上述の第１実施形態のリードフレーム１０と同様の効果を奏することができる。
特に、リードフレーム４１０は、その表裏面に段部Ｄ及び凸部Ｔが形成されているので、第１実施形態の場合に比べ、光反射樹脂層４２０をより強力に結合することができ、剥離抑制効果を向上させる。
また、リードフレーム４１０は、各端子部の互いに対向する辺の外周部の表裏面に段部Ｄが形成されているので、樹脂が充填された場合に、図１４（ｂ）に示すように、光反射樹脂層４２０が各端子部を挟み込むように形成することができる。これにより、リードフレーム４１０は、その厚み方向において光反射樹脂層２０が剥離してしまうのを抑制することができる。
【００６４】
（第５実施形態）
次に、本発明の第５実施形態について説明する。
図１５は、第５実施形態のリードフレーム及び樹脂付きリードフレームの端子部間の詳細を説明する図である。図１５（ａ）は、リードフレーム５１０の端子部間の詳細を示す図であり、図４（ａ）に対応する図である。図１５（ｂ）は、樹脂付きリードフレームの端子部間の詳細を示す図であり、図４（ｂ）に対応する図である。
【００６５】
第５実施形態のリードフレーム５１０は、端子部５１２にのみ凸部Ｔが形成される点で第１実施形態と相違する。
端子部５１１は、端子部５１２と対向する辺を除いた外周部の裏面側に厚みの薄くなる段部Ｄが設けられている。
端子部５１２は、その裏面側の外周部に、厚みの薄くなる段部Ｄが設けられている。
段部Ｄは、リードフレーム５１０の裏面側から見て、各端子部５１１、５１２のＬＥＤ端子面５１１ａ、５１２ａから落ち込んでいる。換言すれば、端子部５１１、５１２の厚みと比較して１／３〜２／３程度に形成されている。
端子部５１２の端子部５１１と対向する辺に形成される段部Ｄには、図１５（ａ）に示すように、他の部位に比べ、その幅が広く形成されており、その落ち込んだ領域から突出する凸部Ｔが形成されている。
凸部Ｔは、端子部５１２の裏面側から見て、その頂部Ｔ１が、端子部５１２の裏面側に形成される外部端子面５１２ｂよりも低くなるように形成されている。
また、リードフレーム５１０が上述のハーフエッチング処理により形成されるので、端子部５１１の端子部５１２と対向する辺の外周側面は、平坦とならず、外周側面から突出する突出部Ｕが形成される。また、リードフレーム５１０の各端子部と他のリードフレーム５１０の各端子部とを接続する連結部の側面にも突出部Ｕが形成される。
【００６６】
以上の構成により、本実施形態のリードフレーム５１０は、上述の第１実施形態のリードフレーム１０と同様の効果を奏することができる。
また、リードフレーム５１０は、端子部５１１の端子部５１２と対向する辺の外周側面と、連結部の側面とに突出部Ｕが形成されるので、図１５（ｂ）に示すように樹脂が充填された場合に、各端子部間に形成される樹脂が、段部Ｄだけでなく、突出部Ｕを挟み込むようにして充填されるので、形成されたフレーム樹脂部が、リードフレーム５１０の表裏面から剥離してしまうのを抑制することができる。
【００６７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６８】
（変形形態）
（１）各実施形態において、リードフレーム１０は、凸部Ｔを、各端子部の互いに対向する辺に設けられた段部Ｄにのみ設ける例を説明したが、これに限定されるものでなく、各端子部の互いに対向する辺以外に設けられた段部Ｄにも凸部Ｔを形成するようにしてもよい。例えば、凸部Ｔは、各端子部に形成される段部Ｄの落ち込んだ領域の全周に渡って設けるようにしてもよい。これにより、リードフレームの多面付け体ＭＳは、樹脂が流し込まれた場合に、端子部間の光反射樹脂層だけでなく、リードフレームの外周部の光反射樹脂層に対しても、各端子部と強固に結合させることができる。
【００６９】
（２）第２実施形態において、凸部Ｔは、各端子部が互いに対向する辺に沿うようにして、各端子部の段部Ｄに４つずつ均等に形成されている例を示したが、これに限定されない。例えば、凸部Ｔは、各端子部の外形寸法に応じて、各段部Ｄに２つずつ設けたり、３つずつ設けたり、５つずつ以上設けたりしてもよい。
また、第１実施形態、第３実施形態、第４実施形態において、凸部Ｔを複数個に分けて形成するようにしてもよい。
（３）第２実施形態から第４実施形態においても、リードフレームは、第１実施形態と同様に、カップ型のリードフレームだけでなく、フラット型のリードフレームに適用してもよい。
【００７０】
（４）各実施形態においては、リードフレーム１０は、端子部１１及び端子部１２を備える例を示したが、リードフレームは、３以上の端子部を備えていてもよい。例えば、端子部を３つ設け、その１つにはＬＥＤ素子２を実装し、他の２つにはボンディングワイヤ２ａを介してＬＥＤ素子２と接続してもよい。この場合、それぞれの端子部の互いに対向する辺の外周部に段部Ｄを設けることにより、上述の実施形態と同様に、端子部間における、各端子部と光反射樹脂層との剥離に発生を抑制することができる。
【００７１】
（５）各実施形態において、リードフレーム１０は、ＬＥＤ素子２を載置、接続するダイパッドとなる端子部１１と、ＬＥＤ素子２とボンディングワイヤ２ａを介して接続されるリード側端子部となる端子部１２とから構成する例を説明したが、これに限定されない。例えば、ＬＥＤ素子２が２つの端子部を跨ぐようにして載置、接続されるようにしてもよい。この場合、２つの端子部のそれぞれの外形は、同等に形成されてもよい。
（６）各実施形態においては、リードフレーム１０は、ＬＥＤ素子２等の光半導体素子を接続する光半導体装置１に使用する例を示したが、光半導体素子以外の半導体素子を用いた半導体装置にも使用することができる。
【符号の説明】
【００７２】
１  光半導体装置
２  ＬＥＤ素子
１０  リードフレーム
１１  端子部
１２  端子部
１３  連結部
２０  光反射樹脂層
２０ａ  フレーム樹脂部
２０ｂ  リフレクタ樹脂部
３０  透明樹脂層
Ｄ  段部
Ｆ  枠体
ＭＳ  リードフレームの多面付け体
Ｒ  樹脂付きリードフレームの多面付け体
Ｓ  空隙部
Ｔ  凸部
【図１】
2015038917.tif 000003
【図２】
2015038917.tif 000004
【図３】
2015038917.tif 000005
【図４】
2015038917.tif 000006
【図５】
2015038917.tif 000007
【図６】
2015038917.tif 000008
【図７】
2015038917.tif 000009
【図８】
2015038917.tif 000010
【図９】
2015038917.tif 000011
【図１０】
2015038917.tif 000012
【図１１】
2015038917.tif 000013
【図１２】
2015038917.tif 000014
【図１３】
2015038917.tif 000015
【図１４】
2015038917.tif 000016
【図１５】
2015038917.tif 000017
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
一定の厚みに形成され、表面及び裏面に端子面を設けた複数の端子部を有し、前記端子部のうち少なくとも一つに光半導体素子が接続される光半導体装置に用いられ、前記端子部間に前記端子部と同等の厚みの樹脂層が設けられるリードフレームにおいて、
前記端子部のうち少なくとも一の端子部は、その表面及び裏面の少なくとも一方の面であり他の端子部に対向する辺の外周に、その端子面の外周縁から落ち込むように形成された段部を有し、
前記段部は、その落ち込んだ領域から前記端子部の厚み方向に突出する凸部を有し、
前記端子部の配列方向において、前記端子部間の樹脂層が前記各端子部から剥離してしまうのを抑制すること、
を特徴とするリードフレーム。
【請求項２】
請求項１に記載のリードフレームにおいて、
前記凸部は、その頂部が、前記端子面よりも低く形成されること、
を特徴とするリードフレーム。
【請求項３】
請求項１又は請求項２に記載のリードフレームにおいて、
前記凸部は、前記端子部間の互いに対向する辺に沿って複数個形成されていること、
を特徴とするリードフレーム。
【請求項４】
請求項１から請求項３までのいずれか１項に記載のリードフレームと、
前記リードフレームの前記端子部の外周側面及び前記端子部間に形成されるフレーム樹脂部を有する樹脂層と、
を備える樹脂付きリードフレーム。
【請求項５】
請求項４に記載の樹脂付きリードフレームにおいて、
前記樹脂層は、前記リードフレームの前記光半導体素子が接続される側の面に突出して形成されるリフレクタ樹脂部を有すること、
を特徴とする樹脂付きリードフレーム。
【請求項６】
請求項１から請求項３までのいずれか１項に記載のリードフレームが枠体に多面付けされていること、
を特徴とするリードフレームの多面付け体。
【請求項７】
請求項４又は請求項５に記載の樹脂付きリードフレームが多面付けされていること、
を特徴とする樹脂付きリードフレームの多面付け体。
【請求項８】
請求項４又は請求項５に記載の樹脂付きリードフレームと、
前記樹脂付きリードフレームの前記端子部のうち少なくとも一つに接続される光半導体素子と、
前記樹脂付きリードフレームの前記光半導体素子が接続される側の面に形成され、前記光半導体素子を覆う透明樹脂層と、
を備える光半導体装置。
【請求項９】
請求項８に記載の光半導体装置が多面付けされていること、
を特徴とする光半導体装置の多面付け体。